(57)【特許請求の範囲】
【請求項１】
フェンスから外方に距離をおいたところに少なくとも１本の細長い電気導体を支持するアウトリガーであって、
細長く、そして近位端部及び遠位端部を備えた第１のアームと、
前記第１のアームの前記遠位端部に設けられた第１の支持装置と、
前記第１のアームの前記近位端部に設けられた第２の支持装置と、
細長い第２のアームであって、前記第２の支持装置から当該第２のアームの遠位端部まで延びる第２のアームと、
前記第２のアームの遠位端部に設けられた第３の支持装置と、を有し、
前記第１のアーム、及び前記第２のアームは、前記第２の支持装置が前記第１の支持装置と前記第３の支持装置との間に横たわるように配置されており、
前記第１の支持装置は、第１の細長い電気導体の一部分を前記第１のアームの前記遠位端部から吊り下げるようになっており、前記第１の支持装置の遠位端部は、ほぼ真直ぐであり、ほぼ直角をなすように前記第１のアームの端から曲げられており、前記第１の支持装置の前記遠位端部の先端は、わずかに内向きに曲げられており、
前記第３の支持装置は、第２の細長い電気導電体の一部分を前記第２のアームの前記遠位端部から吊り下げるようになっており、
前記第２の支持装置は、前記アウトリガーをフェンスから吊り下げるようになっており、前記第２の支持装置は、上側ハンガ軸線で、前記フェンスに回動可能に取り付け可能であり、かつ下側ハンガ軸線で前記第１のアーム及び前記第２のアームに対して回動可能に取り付けられており、
前記アウトリガーは、前記アウトリガーが前記第２の支持装置によって前記フェンスから吊り下げられているとき、前記第１の細長い電気導電体の一部分が前記第１の支持装置から吊り下げられるように、かつ前記第２の細長い電気導電体の一部分が前記第３の支持装置から吊り下げられるように構成されており、前記アウトリガーは、前記第１のアームが前記フェンスから外向きに延び、かつ前記第２のアームが前記フェンスから外向きに延びる休止位置を有しており、
前記アウトリガーは、前記第１の支持装置又は前記第１の電気導体の前記一部分が、前記第１の支持装置及び前記第１の細長い電気導電体の一部分を前記フェンスに向けて動かす衝撃を受けたときに前記休止位置からフェンスに向けて動くことができ、その後、前記アウトリガーが前記休止位置に戻るよう構成されており、前記アウトリガーは、前記上側ハンガ軸回りに前記支持体に対して回動する前記第２の支持装置、及び／又は前記下側ハンガ軸回りに前記第２の支持体に対して回動する前記第１のアームによって動かすことができ、
前記アウトリガーは、前記第３の支持装置又は前記第２の電気導電体の一部分が、前記第３の支持装置及び前記第２の電気導電体の一部分を前記フェンスに向けて動かす衝撃を受けたときに前記休止位置から前記フェンスに向けて動くことができ、その後、前記アウトリガーが前記休止位置に戻るように構成されており、前記アウトリガーは、前記上側ハンガ軸回りに前記支持体に対して回動する前記第２の支持装置、及び／又は前記下側ハンガ軸回りに前記第２の支持体に対して回動する前記第２のアームによって動かすことができる、アウトリガー。
【請求項２】
前記アウトリガーは、更に、前記アウトリガーが前記第２の支持装置によって前記支持体から吊り下げられると共に前記第１の細長い電気導体の前記部分を前記第１の支持装置から吊り下げているとき、前記第１の支持装置又は前記第１の細長い電気導体の前記部分が前記フェンスに向かう方向に衝撃を受けると、前記アウトリガーが、前記第１の支持装置及び前記第１の電気導体の前記部分を前記フェンスの方へ動かすよう前記休止位置から前記第１の細長い電気導体の前記部分に実質的に平行な軸線回りに回転することができ、その後、前記休止位置に戻るよう構成されている、請求項１記載のアウトリガー。
【請求項３】
前記第２の支持装置は、電気絶縁性本体と、導電性スイッチ部材とを有し、前記絶縁性本体及び前記導電性スイッチ部材は各々、前記フェンスによって提供される共通のピボット軸回りを揺動するように構成されており、前記導電性スイッチ部材が前記第１のアーム又は前記第２のアームと接触しない各々の休止位置で吊り下げられており、前記絶縁性本体がその休止位置から実質的に回転し又は変位すると、前記第１のアームか前記第２のアームかのいずれかと接触するようになっている、請求項１記載のアウトリガー。
【発明の詳細な説明】
【技術分野】
【０００１】
本発明は、動物管理に関し、特に、電流が流されている「生きている電線」又は他の電気導体をフェンス又は他の支持体に取り付けるアウトリガーに関する。アウトリガーは、飼育している動物の囲い込み及び管理に適している。使用にあたり、アウトリガーは、電気の通っていないフェンス、例えばフェンス支柱又は支柱・ワイヤ・バテン形フェンスの全体として水平なワイヤのうちの１本で支持される場合がある。複数個のアウトリガーを用いると、電気の通っていないフェンスを家畜がフェンスに押し当たり又はこれを突き破るのを阻止することによりフェンスを保護する電流が流されているフェンスに変換することができる。アウトリガーは又、給餌ゾーン内で動物を管理し、特に、例えば動物による踏みつけ及び汚染によって飼料（餌）が傷んでダメになるのを軽減するために電流の流れている導体を支持するために使用できる。
【背景技術】
【０００２】
電流の流れている導体を支持フェンスから片寄らせることが知られている。種々の形式のスタンドオフ、アウトリガー又はオフセットが互いに平行なフェンスワイヤ又は支柱・バテン形フェンスのフェンス支柱に取り付けられる。スタンドオフ、アウトリガー又はオフセットの遠位端部に設けられた絶縁ピグテール、クリップ又は他のリテーナが電気導体、例えば電線又はテープを支持する。
【０００３】
片側式アウトリガーがフェンスの一方の側から距離をおいたところで電気導体を外方に互いに間隔をおいて支持する。両側式アウトリガーは、一方の電気導体がフェンスの各側から距離をおいたところで外方に間隔を置いた状態で１対の電気導体を支持する。
【発明の概要】
【発明が解決しようとする課題】
【０００４】
公知の電気フェンスアウトリガーが定位置からずれると、例えば、動物又は農場用車両がこれらに当たると、アウトリガーは、永続的に不格好になり又は位置合わせ不良のままとなる場合があり、それにより電流の流れている導体が支持フェンスから片寄る距離が減少し又は場合によってはなくなる。場合によっては、これは、電気導体を大地電位にショートさせる場合がある。これは、位置合わせ不良のアウトリガーの場所のところだけでなく、場合によっては同一フェンス通電装置から電力供給されている電気フェンスの大部分の長さ又はそれどころか全長にわたって電気フェンスの有効性を過度に減少させ又は無効にする場合がある。影響を受けたアウトリガーをモニタし、その存在場所を突き止め、形を直し又は再び位置合わせすることは、農業従事者にとって時間のかかる作業である場合がある。
【０００５】
本発明の少なくとも１つの実施形態の目的は、電気導体を支持するアウトリガー、アウトリガーの使用方法又はアウトリガーを使用して動物を給餌する方法を提供し又は少なくとも公衆に有用な選択肢を提供することにある。
【課題を解決するための手段】
【０００６】
第１の観点では、本発明の要旨は、広義には、
支持体から外方に距離をおいたところに少なくとも１本の細長い電気導体を支持するアウトリガーであって、アウトリガーは、
細長く、そして近位端部及び遠位端部を備えた第１のアームと、
第１のアームの遠位端部に設けられた第１の支持装置と、
第１のアームの近位端部に設けられた第２の支持装置とを有し、
第１の支持装置は、第１の細長い電気導体の一部分を第１のアームの遠位端部から吊り下げるようになっており、
第２の支持装置は、アウトリガーを支持体から吊り下げるようになっており、
アウトリガーは、アウトリガーが第２の支持装置によって支持体から吊り下げられると共に第１の細長い電気導体の一部分が第１の支持装置から吊り下げられているとき、第１の支持装置又は第１の電気導体の一部分が支持体に向かう方向に衝撃を受けると、アウトリガーが、第１の支持装置及び第１の細長い電気導体の部分を支持体の方へ動かすよう第１のアームが支持体から外方に延びる休止位置から動くことができ、その後、アウトリガーが休止位置に戻るよう構成されていることを特徴とするアウトリガーにあるといえる。
【０００７】
好ましくは、アウトリガーは、更に、アウトリガーが第２の支持装置によって支持体から吊り下げられると共に第１の細長い電気導体の部分を第１の支持装置から吊り下げているとき、第１の支持装置又は第１の細長い電気導体の部分が支持体に向かう方向に衝撃を受けると、アウトリガーが、第１の支持装置及び第１の電気導体の部分を支持体の方へ動かすよう休止位置から細長い電気導体の部分に実質的に平行な軸線回りに回転することができるよう構成される。
【０００８】
好ましくは、第１のアームは、アウトリガーが使用中及び休止位置にあるとき、支持体の一部分に当接可能な当接部分を有し、当接部分は、第１の支持装置と第２の支持装置との間の途中に配置され、第１のアームは、第２の支持装置から当接部分に向かう第１の方向に延びると共に第１の方向に平行ではない第２の方向に当接部分から第１の支持装置まで延びる。
【０００９】
変形例として、第１のアームは、第２の支持装置から第１の支持装置まで第１の方向に延び、第１のアームは、第１の方向に平行ではない第２の方向に第２の支持装置から、アウトリガーが使用中及び休止位置にあるとき、支持体の一部分に当接可能な当接部分まで延びる延長部を有する。
【００１０】
好ましくは、アウトリガーは、細長く、そして第２の支持装置から第２のアームの遠位端部まで延びる第２のアームと、第２のアームの遠位端部に設けられた第３の支持装置とを更に有し、第３の支持装置は、第２の細長い電気導体の一部分を第２のアームの遠位端部から吊り下げるようになっており、第１のアーム及び第２のアームは、第２の支持装置が第１の支持装置と第３の支持装置との間に位置するよう配置される。
【００１１】
好ましくは、第１のアーム及び第２のアームは、第２の支持装置が第１の支持装置と第３の支持装置との間に位置しているが、これらとは一線をなすことがないよう配置される。
【００１２】
変形例として、アウトリガーは、更に、
アウトリガーが第２の支持装置によって支持体から吊り下げられ、
第１の細長い電気導体の部分が第１の支持装置から吊り下げられ、且つ
第２の細長い電気導体の部分が第３の支持装置から吊り下げられているとき、
第２の支持装置が、第１の支持装置又は第１の電気導体の部分が支持体に向かう方向に衝撃を受けると、第１の支持装置及び第１の電気導体の部分を支持体の方へ動かすよう第１のアーム及び第２のアームが支持体のそれぞれの互いに反対側の側部から外方に延びる休止位置からアウトリガーを動かすよう第１のアーム及び第２のアームに対して回転可能であり、その後、アウトリガーを休止位置に戻すよう回転し、或いは、
第３の支持装置又は第２の細長い電気導体の部分が支持体に向かう方向に衝撃を受けると、第３の支持装置及び第２の細長い導体の部分を支持体の方へ動かすよう第１のアーム及び第２のアームが支持体のそれぞれの互いに反対側の側部から外方に延びる休止位置からアウトリガーを動かすよう第１のアーム及び第２のアームに対して回転可能であり、その後、アウトリガーを休止位置に戻すよう回転するように構成されている。
【００１３】
好ましくは、第３の支持装置は、電気絶縁性である。
【００１４】
好ましくは、第３の支持装置は、第２の細長い電気導体の部分を把持し、それにより第２の細長い電気導体に沿う第３の支持装置の摺動運動に抵抗するようになっている。
【００１５】
好ましくは、第２の細長い電気導体は、シングルストランド形電線若しくはマルチストランド形電線又はロープ、テープ若しくは編組体の状態に非導電性支持ストランドと撚り合わされ、編組され若しくは織成された１本又は２本以上のワイヤストランドである。
【００１６】
好ましくは、第１の支持装置は、電気絶縁性である。
【００１７】
好ましくは、第２の支持装置は、電気絶縁性である。
【００１８】
好ましくは、第１の支持装置は、第１の細長い電気導体の部分を把持し、それにより第１の細長い電気導体に沿う第１の支持装置の摺動運動に抵抗するようになっている。
【００１９】
好ましくは、支持体は、ワイヤフェンスであり、第２の支持装置は、フェンスのワイヤを把持し、それによりフェンスワイヤに沿う第２の支持装置の摺動運動に抵抗するようになっている。
【００２０】
好ましくは、第１の細長い電気導体は、シングルストランド形電線若しくはマルチストランド形電線又はロープ、テープ若しくは編組体の状態に非導電性支持ストランドと撚り合わされ、編組され若しくは織成された１本又は２本以上のワイヤストランドである。
【００２１】
好ましくは、第１の支持装置は、
アウトリガーの第１のアームの遠位端部に取り付けられた本体を有し、本体は、第１のアームと全体として整列した軸線を有し、
本体から互いに逆方向に横方向に延びる第１の延長部及び第２の延長部を有し、
第１の延長部及び第２の延長部の各々の遠位端部に設けられた先端部を有し、各先端部は、本体軸線に対して横の共通方向に延長部まで横方向に延び、本体の遠位部分は、先端部を越えて外方に軸方向に延びている。
【００２２】
好ましくは、第２の支持装置は、電気絶縁性本体と、導電性スイッチ部材とを有し、絶縁性本体及び導電性部材は各々、導電性部材が第１のアームか第２のアームかのいずれかと接触していないが、絶縁性本体がその休止位置から実質的に回転し又は変位すると、第１のアームか第２のアームかのいずれかと接触するそれぞれの休止位置でぶら下がるよう支持体により提供された共通のピボット軸線回りに揺動するようになっている。
【００２３】
第２の観点では、本発明の要旨は、広義には、第１の観点又はその変形例又は好適例のアウトリガーを使用する方法であって、アウトリガーを第２の支持装置によって支持体から吊り下げ、第１の細長い電気導体の部分を第１の支持装置から吊り下げ、アウトリガーは、第１の支持装置又は第１の細長い電気導体の部分が支持体に向かう方向に衝撃を受けると、休止位置から動いて第１の支持装置及び第１の細長い電気導体の部分を支持体に向かって動かし、その後、休止位置に戻ることを特徴とする方法にあるといえる。
【００２４】
好ましくは、アウトリガーは、第１の支持装置又は第１の細長い電気導体の部分が支持体に向かう方向に衝撃を受けると、休止位置から回転して第１の支持装置及び第１の細長い電気導体の部分を支持体に向かって動かし、その後休止位置に回転して戻る。
【００２５】
第３の観点では、本発明の要旨は、広義には、第１の観点の変形例又は好適例のアウトリガーを使用する方法であって、アウトリガーを第２の支持装置によって支持体から吊り下げ、第１の細長い電気導体の部分を第１の支持装置から吊り下げ、第２の細長い電気導体の部分を第３の支持装置から吊り下げ、アウトリガーは、第１の支持装置又は第１の細長い電気導体の部分が支持体に向かう方向に衝撃を受けると、休止位置から動いて第１の支持装置及び第１の細長い電気導体の部分を支持体に向かって動かし、その後休止位置に戻り、或いは、第３の支持装置又は第２の細長い電気導体の部分が支持体に向かう方向に衝撃を受けると、休止位置から動いて第３の支持装置及び第２の細長い電気導体の部分を支持体に向かって動かし、その後休止位置に戻ることを特徴とする方法にあるといえる。
【００２６】
好ましくは、アウトリガーは、第１の支持装置又は第１の電気導体の部分が支持体に向かう方向に衝撃を受けると、休止位置から動いて第１の支持装置及び第１の電気導体の部分を支持体に向かって動かし、その後休止位置に回転して戻り、或いは、第３の支持装置又は第２の電気導体の部分が支持体に向かう方向に衝撃を受けると、休止位置から回転して第３の支持装置及び第２の電気導体の部分を支持体に向かう方向に動かし、その後休止位置に回転して戻る。
【００２７】
第４の観点では、本発明の要旨は、広義には、第１の観点又はその変形例又は好適例のアウトリガーを使用する方法であって、第２の支持装置は、第１の支持装置又は第１の細長い電気導体の部分が支持体に向かう方向に衝撃を受けると、回転してアウトリガーを休止位置から動かすと共に第１の支持装置及び第１の細長い電気導体の部分を支持体に向かう方向に動かし、その後回転してアウトリガーを休止位置に戻すことを特徴とするアウトリガーの使用方法にあるといえる。
【００２８】
好ましくは、アウトリガーを少なくとも或る程度第１の細長い電気導体の張力によって休止位置に戻す。
【００２９】
好ましくは、アウトリガーを少なくとも或る程度は重力により休止位置に戻す。
【００３０】
好ましくは、支持体は、ワイヤフェンスであり、アウトリガーは、第２の支持装置によりワイヤフェンスの実質的に水平なワイヤから支持される。
【００３１】
好ましくは、第２の支持装置は、水平ワイヤを把持し、それにより水平ワイヤに沿う第２の支持装置の摺動運動に抵抗し、水平ワイヤは、アウトリガーがその休止位置から遠ざかると、第２の支持装置の回転によって撚られ、アウトリガーは、少なくとも或る程度は撚られた水平ワイヤの捩りによって休止位置に戻される。
【００３２】
第５の観点では、本発明の要旨は、広義には、少なくとも１匹の動物を給餌ゾーンで管理する方法であって、この方法は、
細長い電気導体を本発明の第１の観点又はその変形例又は好適例として上述した１つ又は２つ以上のアウトリガーの各々の第１のアームの遠位端部に設けられたそれぞれの第１の支持装置から吊り下げるステップと、
細長い電気導体を給餌ゾーンに隣接して吊り下げるステップと、
細長い電気導体に電流を流すステップと、
それにより１匹又は複数の動物が１匹又は複数の動物による飼料の消費に先立って給餌ゾーンに位置している飼料をスポイルするのを阻止するステップとを有することを特徴とする給餌ゾーンのところでの少なくとも１匹の動物の管理方法にあるといえる。
【００３３】
好ましくは、細長い電気導体は、給餌ゾーンのところで餌を食べている動物が実質的に自分の頭を給餌姿勢よりも上方に上げるのを阻止する高さのところで給餌ゾーンの上方に吊り下げられる。
【００３４】
第６の観点では、本発明の要旨は、広義には、給餌ゾーンのところで少なくとも１匹の動物を管理する方法であって、この方法は、第１の観点の変形例又は好適例のうちいずれか一の少なくとも１つのアウトリガーを用い、少なくとも１本の細長い電気導体を少なくとも１つのアウトリガーの第１のアーム及び第２のアームのそれぞれの遠位端部のところで第１の支持装置及び第２の支持装置の各々から吊り下げ、少なくとも１本の細長い電気導体を、給餌ゾーンのところで餌を食べている動物が実質的に自分の頭を給餌姿勢よりも上方に上げるのを阻止する高さのところで給餌ゾーンの上方に吊り下げることを特徴とする給餌ゾーンのところでの少なくとも１匹の動物の管理方法にあるといえる。
【００３５】
本発明の要旨は、更に、本明細書において説明され又は添付の図面に示された部分又は特徴の任意の別の組み合わせにあるということができる。それにもかかわらず、明示的に記載されていないこれら部分又は特徴の公知の均等例は、本発明の範囲に含まれる。
【００３６】
本明細書において、「アウトリガー」、「オフセット」及び「スタンドオフ」という用語は、名詞として用いられる場合、適当な支持構造体、例えばフェンスで支持可能であり、支持構造体の一方の側から距離をおいたところに電気導体を支持する装置に関する均等な用語として理解されるべきである。
【００３７】
原文明細書及び原文特許請求の範囲に用いられている“comprising”（翻訳文では、「〜を有する」と訳してある場合が多い）という用語は、“consisting at least in part of”（少なくとも一部が〜から成る）を意味し、即ち、本明細書及び特許請求の範囲にこの用語を含む記載を解釈する際、各記載中のこの用語の前に位置する特徴は、全て存在する必要はなく、更に他の特徴が存在していて良い。
【００３８】
本発明を利用する好ましい実施形態及び方法について添付の図面を参照して更に説明するが、これらは例示に過ぎず、本発明を限定するものではない。
【図面の簡単な説明】
【００３９】
【図１】フェンスに取り付けられる第１のダブルエンド形アウトリガーの側面図である。
【図２】フェンスに取り付けられる第２のダブルエンド形アウトリガーの側面図である。
【図３】フェンスに取り付けられた第３のダブルエンド形アウトリガーの斜視図である。
【図４】フェンスに取り付けられた第４のダブルエンド形アウトリガーの斜視図である。
【図５】フェンスに取り付けられた第１のシングルエンド形アウトリガーの側面図である。
【図６】フェンスに取り付けられた第２のシングルエンド形アウトリガーの側面図である。
【図７】フェンスに取り付けられた第３のシングルエンド形アウトリガーの斜視図である。
【図８】フェンスに取り付けられた第４のシングルエンド形アウトリガーの側面図である。
【図９】フェンスに取り付けられた第５のシングルエンド形アウトリガーの側面図である。
【図１０】アウトリガーアームの遠位端部に取り付けられた取り付け装置の斜視図である。
【図１１】フェンスに取り付けられた第５のダブルエンド形アウトリガーの第１の斜視図である。
【図１２】フェンスに取り付けられた図１１の第５のダブルエンド形アウトリガーの第２の斜視図である。
【図１３】フェンスに取り付けられた図１１及び図１２の第５のダブルエンド形アウトリガーの第３の斜視図である。
【図１４】吊り下げ状態のアウトリガーへの電気接続を制御するスイッチを備えたアウトリガーハンガの詳細図である。
【図１５】吊り下げ状態のアウトリガーへの電気接続を制御する別のスイッチを備えたアウトリガーハンガの詳細図である。
【発明を実施するための形態】
【００４０】
図を参照すると、本発明は、種々の形態及びモードで具体化できることが理解されよう。本発明の好ましい実施形態についての以下の説明は、例示として与えられているに過ぎない。
【００４１】
図１、図２、図５、図６、図８及び図９は各々、アウトリガーが取り付けられた支持フェンスのラインに沿って見た場合のフェンスに取り付けられているアウトリガーの側面図である。図３、図４、図７、図１１、図１２及び図１３は各々、フェンスに取り付けられたアウトリガーの斜視図である。各場合において、支持フェンスの幾つかのコンポーネントは、図面を分かりやすくするために省かれている。
【００４２】
図１は、本発明のダブルエンド形電気フェンス用アウトリガーの側面図である。アウトリガーは、支持フェンスに取り付けられ、このアウトリガーは、２つの（２本の）電気フェンス導体を支持するために用いられ、導体のうちの一方は、支持フェンスの各側から片寄っている。
【００４３】
アウトリガーは、第１の細長いアーム１１及び第２の細長いアーム１２を有し、これらアームは、共通の中央支持体１４のところでアームの近位端部から互いに逆方向に延びている。支持クリップ１３が第１及び第２のアーム１１，１２の各遠位側の、即ち外側の端部に取り付けられている。支持クリップ１３は、電気フェンス導体（図示せず）をアーム１１，１２の遠位端部のところで支持するようになっている。
【００４４】
中央支持体１４は、アウトリガーを支持フェンスの直立フェンス支柱１５に対して回動可能に支持し、それにより、アウトリガーが、支持体の軸線１４Ａを中心に回転することができ、この軸線は、フェンスラインに実質的に平行である。
【００４５】
回動支持軸線１４Ａは、支持フェンスの支柱又は支柱に代えてバテンに打ち込まれ又は違ったやり方で固定された釘又は他の類似の締結具によって提供されるのが良い。変形構成例（図１には示されていない）では、ピボットは、共通中央支持体１４を支柱１５に取り付けられている全体として水平のフェンスワイヤ１６に固定する。この場合、ピボット軸線は、フェンスワイヤ１６によって提供される。
【００４６】
２本の互いに類似した電気フェンスワイヤ（本明細書では、「ワイヤ」は、場合によっては「電線」と同義である）がそれぞれ図１のダブルエンド形アウトリガーの２つの外側端部のところのクリップ１３内に支持されると、アウトリガーは、アーム１１，１２が支持フェンスの互いに反対側の側部から外方に延び、これらアームが図１の実線で示されているようにほぼ水平に位置した状態でピボット軸線１４Ａ回りに中央支持体１４からぶら下がる。
【００４７】
回動中央支持体１４により、ピボット軸線１４Ａ回りのアウトリガーの自由回転が可能であり、その結果、支持フェンスの一方の側に位置する物体がアウトリガーの一端部に押し当たり又はアウトリガーによって支持された電気フェンス導体のうちの１つに押し当たった場合、アウトリガーは、いずれかの方向に回転して電気フェンス導体及びアウトリガーの外側端部を支持フェンスのその側に向かって内方に動かすことができるようになっている。アウトリガーは、撓むことなく自由に回転する。
【００４８】
図１は、アーム１１の外側端部をフェンスの左側に向かって押し下げると又は他方のアーム１２の外側端部をフェンスの右側に向かって押し上げたときの定位置１７にあるアウトリガーを破線で示している。図１は又、アーム１１の外側端部をフェンスの左側に向かって押し上げると又は他方のアーム１２の外側端部をフェンスの右側に向かって押し下げたときの定位置１８にあるアウトリガーを破線で示している。
【００４９】
物体が電気フェンス導体又はアウトリガーに押し当たるのを止めると、アウトリガーは、重力の作用と電気導体の張力の作用の組み合わせにより揺動して実線で示されている元のアウトリガー休止位置に戻る。
【００５０】
図１のアウトリガーを回動支持体に用いられている任意のワイヤ、例えばワイヤ１６に加えて複数本のワイヤを備えた支持フェンスに取り付けると、アウトリガーの最大撓みは、追加のワイヤのうちの１本又は２本以上へのアウトリガーのアームの当接によって制限できる。例えば、アウトリガーアームの最大揺動は、図１に破線で示されているアウトリガー位置１７，１８に制限されるのが良く、図１では、アウトリガーの下方のアームは、支持フェンスの追加のワイヤ１９に当接している。
【００５１】
図２は、本発明の第２のダブルエンド形アウトリガーの側面図である。このアウトリガーは、第１の細長いアーム２１を備えている。第２の細長いアーム２２が第１のアームの近位端部から延びている。図１の実施形態の場合と同様、電気フェンス導体（図示せず）をアーム２１，２２の遠位端部に固定するための支持クリップ２３が第１及び第２のアーム２１，２２の各外側端部に取り付けられている。
【００５２】
アウトリガーは、第１のアーム２１と第２のアームの近位端部が互いに出会う中央支持体２４を有している。支持体２４は、支持フェンスのワイヤ２６への取り付けによりアウトリガーを第１及び第２のアーム２１，２２の遠位端部に回動可能に支持し、支持フェンスは、支持フェンスワイヤに実質的に平行なピボット軸線を備えている。
【００５３】
２本の互いに類似した電気フェンス導体がそれぞれ図２のダブルエンド形アウトリガーの２つの外側端部のところのクリップ２３内に支持されると、アウトリガーは、回動支持体２４のところでフェンスワイヤ２６からぶら下がる。アーム２１，２２は、支持フェンスの互いに反対側の側部から外方に延び、これらアームは、図２の実線で示されているように下方にぶら下がる。
【００５４】
ピボット２４により、アウトリガーの自由回転が可能であり、その結果、支持フェンスの一方の側に位置する物体がアウトリガーアームのうちの一方に押し当たり又はアウトリガーによって支持された電気フェンス導体のうちの１つに押し当たった場合、アウトリガーアームは、回転することができる。例えば、アウトリガーアームを下方に押すと、電気フェンスワイヤ及びそのアウトリガーアームの外側端部を支持フェンスのその側に向かって内方に動かすことができる。アウトリガーは、撓むことなく自由に回転する。
【００５５】
図２は、アーム２１をフェンスの左側に向かって押し下げると又はアーム２２をフェンスの右側に向かって押し上げたときの定位置２７にあるアウトリガーを破線で示している。図２は又、アーム２１をフェンスの左側に向かって押し上げると又はアーム２２をフェンスの右側に向かって押し下げたときの定位置２８にあるアウトリガーを破線で示している。
【００５６】
物体が電気フェンス導体又はアウトリガーに押し当たるのを止めると、アウトリガーは、重力の作用と電気導体の張力の作用の組み合わせにより揺動して実線で示されている元の邪魔を受けないアウトリガー休止位置に戻る。
【００５７】
図２に示されている構成例では、各アウトリガーアームは、自由に回転し、押し下げられると、撓まないで支持フェンスと面一をなす。
【００５８】
図１及び図２に示されているダブルエンド形アウトリガーの各々に関し、アーム１１，１２，２１，２２は、ピボット１４，２４が２本のアームの外側端部のところで支持クリップ１３，２３相互間に位置するが、これらと一線をなすことがないよう配置されている。これらアウトリガーは、アウトリガーが邪魔を受けない休止位置にあるとき、支持クリップがピボットよりも下に位置した状態で支持フェンスに取り付けられる。
【００５９】
図３は、本発明のダブルエンド形アウトリガーの斜視図である。アウトリガーは、２本のアーム１１１，１１２を有し、これらアームは、これら２本のアームの近位端部に設けられた単一の中央ぶら下がりループ支持体１１４から互いに逆方向に延びている。アウトリガーは、中央支持体１１４によって、支柱・バテン形フェンスの水平ワイヤ１１６で自由にぶら下がっている。フェンスの１本の支柱１１５が図３に示されている。遠位端部１１３は、それぞれのアーム１１１，１１２に対しほぼ直角に延びている。遠位端部は、互いにほぼ平行であり、これら遠位端部は、図３に示されているように互いに同一の方向に延びても良く、或いは、互いに逆方向に延びても良い（図には示されていない）。アーム１１１，１１２の遠位端部１１３の各々及びそれぞれの細長い電線１１７は、互いに撚り合わされてそれぞれの電線１１７に沿うアームの撚り遠位端部１１３の摺動運動に抵抗する掴み係合関係を提供している。アウトリガーは、好ましくは、鋼線で作られ、アーム１１１，１１２の遠位端部又は中央支持体１１４は、電気絶縁材料（図示せず）で被覆されている。
【００６０】
図４は、本発明のダブルエンド形アウトリガーの斜視図である。アウトリガーは、２本のアーム２１１，２１２を有し、これらアームは、これら２本のアームの近位端部に設けられた中央支持体２１３から互いに逆方向に延びている。中央支持体は、２本のテール（尾部）２１４，２１５を有し、これらテールは、２本のアウトリガーアームに対して横方向に延びている。２本のテールは、支柱・バテン形フェンスの水平ワイヤ２１６にからみ付けられていてフェンスワイヤ２１６に沿う中央支持体２１３のからみ付き状態のテール２１４，２１５の摺動運動に抵抗する掴み係合状態をもたらしている。フェンスの１本の支柱２１７が図４に示されている。アウトリガーは、好ましくは、圧着スリーブ２１８によって互いに保持された１対の鋼線で作られている。アーム２１１，２１２の遠位端部に位置するピグテール２１９，２２０がそれぞれの電気フェンスワイヤ２２１，２２２をフェンスの互いに反対側から外方に支持している。ピグテールは、電気絶縁スリーブ又は被膜で覆われている。図４に示されていない変形例では、中央支持体２１３のテール２１４，２１５は、電気絶縁スリーブ又は被膜で覆われても良い。
【００６１】
図５及び図６は、本発明のシングルエンド形アウトリガーの側面図である。これらアウトリガーは、支持フェンスに取り付けられるのが良く、かかる支持フェンスは、電気フェンス導体を支持フェンスの一方の側から片寄って支持する。アウトリガーは各々、細長いアーム３１を有している。支持クリップ３２がアーム３１の遠位端部に取り付けられている。支持クリップ３２は、電気フェンス導体（図示せず）をアーム３１の遠位端部に対して支持するようになっている。
【００６２】
図５及び図６のアウトリガーは各々、アーム３１の近位端部に回動支持体３３を有している。回動支持体３３は、アウトリガーをアーム３１の近位端部のところでワイヤ３４又は支持フェンスのフェンス支柱（図示せず）に対して支持し、それにより、アウトリガーは、フェンスラインに実質的に平行な回動支持体の軸線回りに回転することができる。
【００６３】
図５及び図６のアウトリガーでは、アーム３１は、回動支持体３３とクリップ支持体３２との間に設けられた当接部分３５を有している。アームは、回動支持体から当接部分３５まで第１の方向に延びる第１の長さ部分３６及び当接部分３５から遠位端部のところの支持クリップ３２まで第１の方向とは平行ではない第２の方向に延びる第２の長さ部分３７を有している。
【００６４】
電気フェンス導体（図示せず）がシングルエンド形アウトリガーアーム３１の外側端部のところの支持クリップ３２によって支持されると、導体の重量又は導体の張力により、アウトリガーは、当接部分３５が支持フェンスのワイヤに当接するまで回転する（図５及び図６で理解されるように反時計回りの方向に）。図５の実施形態では、このワイヤ３８は、回動支持体３３が取り付けられているワイヤ３４よりも高い位置にある。図６の実施形態では、このワイヤ３９は、ピボット支持体３３が取り付けられているワイヤ３４よりも低い位置にある。アウトリガーがこの邪魔を受けない休止位置にあるとき、アウトリガーアームの第２の長さ部分３７は、支持フェンスの一方の側から外方に延びる。好ましくは、この場合、アームの第２の長さ部分３７は、図５において実線で示されているようにほぼ水平であり又は図６の実線で示されているように外方に上昇している。
【００６５】
図５及び図６に示されているアウトリガーのアームは、Ｌ字形のものであるのが良い。Ｌ字形の２つの脚は、互いに垂直に（例えば、図５参照）又は小さな角度をなして（図６参照）又は大きな角度をなして配置可能である。アウトリガーが邪魔を受けない休止位置にあるとき、当接部分３５がフェンスワイヤ３８，３９に当接した状態で、支持クリップ３２がピボット３３よりも高いところに位置し、その結果、電気フェンス導体又はアウトリガーアームに対して内方に加えられる水平力がアームを持ち上げてこれを上方に回転させがちであることが好ましい。
【００６６】
回動支持体３３によりアウトリガーの自由回転が可能であり、その結果、支持フェンスの左側に位置する物体（図５及び図６に示されている）がアウトリガーアームに押し当たり又はアウトリガーによって支持された電気フェンス導体に押し当たった場合、アウトリガーアームが撓むことなく上方に回転して電気フェンス導体及びアウトリガーアームの外側端部を支持フェンスのその側に向かって上方且つ内方に動かすことができるようになっている。
【００６７】
図５及び図６は、アームがフェンスに向かって押されているときのアウトリガーを破線で示している。電気フェンス導体又はアウトリガーへの押し当たりが止まると、電気導体の重力及び／又は張力によりアウトリガーが揺動して実線で示されている元の邪魔を受けない休止位置に戻る。
【００６８】
図５に示されている実施形態では、アウトリガーアームは、これが支持フェンスの高い方のワイヤ４０と接触することにより拘束されるまで撓むことなく上方に自由に回転することができる。
【００６９】
図７は、本発明の１つの好ましいシングルエンド形アウトリガーの斜視図である。アウトリガーは、細長いアーム３３１を有している。アーム３３１の遠位端部は、電気フェンスワイヤ３３９をアームの遠位端部に支持するピグテール３３２を備えている。アーム３３１の近位端部に設けられた回動支持体３３３がアウトリガーを支持フェンスのワイヤ３３４から支持し、それにより、アウトリガーは、回動支持体の軸線回りに回転することができる。回動支持体３３３は、支持フェンスワイヤ３３４をアウトリガーの外側端部のところの戻り部分に絡ませることにより形成される。支持フェンスワイヤ３３４は、回動支持体３３３のための軸線を提供し、この支持フェンスワイヤは絡まってアウトリガーが撓むことなく相対的に自由に回転することができるようにする。支持フェンスワイヤ３３４は、支柱・バテン形フェンスの数本の水平ワイヤのうちの１本であり、この支持フェンスワイヤは、一連のフェンス支柱によって支持される。かかるフェンス支柱の１つ３４０が図７に示されている。
【００７０】
アウトリガーアーム３３１は、回動支持体３３３とピグテール３３２との間に位置した当接部分３３５を有している。アームは、回動支持体３３３から当接部分３３５まで第１の方向に延びる第１の長さ部分３３６及び当接部分３３５から遠位端部のところのピグテール３３２まで第１の方向に実質的に垂直な第２の方向に延びる第２の長さ部分３３７を有している。
【００７１】
電気フェンスワイヤ３３９がシングルエンド形アウトリガーアーム３３１の外側端部のところのピグテール３３２によって支持されると、電線の重量又は張力により、アウトリガーは、当接部分３３５が支持フェンスのワイヤ３３８に当接するまで回転する（図７で理解されるように反時計回りの方向に）。図７の実施形態では、このワイヤ３３８は、回動支持体３３３を支持しているワイヤ３３４よりも高い位置にある。アウトリガーがこの邪魔を受けない休止位置にあるとき、アウトリガーアームの第２の長さ部分３３７は、支持フェンスの一方の側から外方に実質的に水平に延びる。
【００７２】
回動支持体３３３によりアウトリガーの自由回転が可能であり、その結果、支持フェンスの左側に位置する物体（図７に示されている）がアウトリガーアームに押し当たり又はアウトリガーによって支持された電気フェンスワイヤ３３９に押し当たった場合、アウトリガーアームは、撓むことなく上方に回転して電気フェンスワイヤ及びアウトリガーアームの外側端部のところのピグテール３３２を支持フェンスのその側に向かって上方且つ内方に動かすことができるようになっている。アウトリガーは、電気フェンスワイヤ３３９の重力若しくは張力又は支持フェンスワイヤ３３４の捩りのうちの１つ又は２つ以上の作用下でその休止位置（図７に示されている）に戻される。
【００７３】
図８及び図９は、本発明のシングルエンド形アウトリガーの側面図である。これらアウトリガーは、支持フェンスに取り付けられるのが良く、かかる支持フェンスは、電気フェンス導体を支持フェンスの一方の側から片寄って支持する。アウトリガーは各々、細長いアーム４１を有している。支持クリップ４２がアーム４１の遠位端部に取り付けられている。支持クリップ４２は、電気フェンス導体（図示せず）をアーム４１の遠位端部に支持するようになっている。
【００７４】
図８及び図９のアウトリガーは各々、アーム４１の近位端部に回動支持体４３を有している。回動支持体４３は、アウトリガーをアーム４１の近位端部のところでワイヤ４５又は支持フェンスのフェンス支柱（図示せず）に固定し、それにより、アウトリガーは、フェンスラインに実質的に平行な回動支持体の軸線回りに回転することができる。
【００７５】
図８及び図９のアウトリガーは、アーム４１の近位端部のところで回動支持体４３から延びる延長部４６を有している。アームは、回動支持体から支持クリップまで第１の方向に延び、延長部は、回動支持体から第１の方向とは平行ではない第２の方向に延びている。延長部４６は、回動支持体４３から距離をおいたところに位置する当接部分４７を有している。
【００７６】
電気フェンス導体がシングルエンド形アウトリガーアーム４１の外側端部のところの支持クリップ４２によって支持されると、導体の重量又は導体の張力により、アウトリガーは、当接部分４７が支持フェンスのワイヤに当接するまで回転する（図８及び図９で理解されるように反時計回りの方向に）。図８の実施形態では、このワイヤ４８は、回動支持体４３が取り付けられているワイヤ４５よりも低い位置にある。図９の実施形態では、このワイヤ４９は、ピボット支持体４３が取り付けられているワイヤ４５よりも高い位置にある。アウトリガーがこの邪魔を受けない休止位置にあるとき、アウトリガーアーム４１は、支持フェンスの一方の側から外方に延びる。好ましくは、アーム４１は、図８及び図９において実線で示されているように回動支持体４３から外方且つ上方に延びる。
【００７７】
図８及び図９に示されているアウトリガーは、Ｌ字形のものであるのが良い。Ｌ字形の２つの脚は、互いに多少の角度をなして配置可能であり、アウトリガーが邪魔を受けない休止位置に拘束されているとき、支持クリップ４２が回動支持体４３よりも高いところに位置し、その結果、電気フェンス導体又はアウトリガーアームに対して内方に向けられる水平力がアームを持ち上げてこれを上方に回転させがちであるようになっている。
【００７８】
回動支持体４３によりアウトリガーの自由回転が可能であり、その結果、支持フェンスの左側に位置する物体（図８及び図９に示されている）がアウトリガーアームに押し当たり又はアウトリガーによって支持された電気フェンス導体に押し当たった場合、アウトリガーアームが撓むことなく上方に回転して電気フェンス導体及びアウトリガーアームの外側端部を支持フェンスのその側に向かって上方且つ内方に動かすことができるようになっている。
【００７９】
図８及び図９は、アームがフェンスの方に押されたときのアウトリガーを破線で示している。物体がアウトリガー又は電気フェンス導体に押し当たるのをやめると、アウトリガーは、電気導体の重力及び／又は張力の影響を受けて実線で示されているその邪魔を受けない休止位置に揺動して戻る。
【００８０】
図８に示されている実施形態では、アウトリガーアーム４１は、これが支持フェンスのフェンスワイヤと面一をなすまで上方に自由に回転することができ、アウトリガーの大部分は電気フェンス導体がアウトリガーによって支持されている側とは反対のフェンスの側から外方に延びることはない。
【００８１】
図９に示されている実施形態では、アウトリガーアームは、これが支持フェンスのフェンスワイヤと面一をなすまで上方に自由に回転することができ、アウトリガーの大部分は電気フェンス導体がアウトリガーによって支持されている側とは反対のフェンスの側から外方に延びることはない。
【００８２】
アウトリガーアームは、回動支持体によって支持フェンスに固定されるのが良いが、これに剛性的に取り付けられない。回動支持体は、２つの部分から成るヒンジであるのが良く、一方のヒンジ部分は、アウトリガーのアームに取り付けられ、他方のヒンジ部分は、支持フェンスに取り付けられる。変形例として、ピボットは、クリップであっても良く、クリップは、支持フェンスのワイヤ回りにスナップ装着され、フェンスワイヤがそれ自体、ピボット軸線となるようになっている。ピボットは、フェンスワイヤ回りにルーズに嵌まるのが良く、その結果、アウトリガーアームは、図３の回動支持体１１４で理解できるように支持フェンスワイヤによって提供される軸線回りに自由に回転することができるようになっている。変形例として、回動支持体は、例えば図４及び図７に示されている回動支持体で分かるようにフェンスワイヤを掴んでも良い。回動支持体がフェンスワイヤを掴む場合、アウトリガーの回転により、フェンスワイヤが撚られる。結果的に生じるフェンスワイヤの張力は、邪魔を受けない休止位置へのアウトリガーの戻りを助ける。ヒンジ又は回動支持体は、好ましくは、アウトリガーアームを少なくとも支持フェンスワイヤにほぼ垂直に保持するよう構成されている。
【００８３】
支持フェンスへのアウトリガーの取り付けにより、１本又は複数本のアウトリガーアームは、邪魔を受けると、アウトリガーアームによって支持された電気フェンス導体が支持フェンスから外方に保持される休止位置からフェンスの近くの位置まで動くことができ、そしてアウトリガーに作用する重力、アウトリガーによって支持された電気導体に作用する重力、電気フェンス導体の張力及びアウトリガーアームが取り付けられている支持フェンスワイヤの捩りのうちのどれか１つ又は２つ以上によって邪魔を受けない休止位置に戻ることができる。
【００８４】
図１０は、アウトリガーアーム５２の遠位端部に取り付けられた支持クリップ５１の好ましい一実施形態の斜視図である。クリップは、開口端部を備えた管状本体５３を有する。管状本体は、アウトリガーアームの遠位端部（図７に破線で示されている）に被せられており、管状本体の軸線は、少なくとも、アウトリガーアームの遠位端部とほぼ整列している。２つの延長部５４が本体の第１の側５５から横方向に互いに逆方向に延びている。各延長部５４は、管状本体の延長部と軸線の両方に対して横方向に延びる先端部５６を有している。両方の先端部は、共通方向に延びている。管状本体の遠位端部の一部分５７は、第１の側部５５と反対側の本体の第２の側部５８から先端部５６を越えて軸方向に延びている。
【００８５】
図１０に示されているように、２つの延長部５４は、管状本体５３の底側部５５から横方向に延び、遠位端部５７は、管状本体の頂側部５８から軸方向に延びている。先端部５６は、延長部５４及び管状本体５３に対して横の方向に上方に延びている。
【００８６】
電気フェンス導体５９が先端部５６の背後に通され、延長部５４を通り過ぎ、そして遠位部分５７の下に通されている。クリップ５１は、導体がクリップを通る真っ直ぐな経路から逸れるようにすることにより導体５９を把持するのが良い。変形例として、クリップ延長部５４は、導体がクリップを真っ直ぐな線をなして通過することができるよう撓むことができる。いずれの場合においても、クリップは、クリップを通る導体の自由摺動運動に抵抗するよう導体を支持すると共にこれを把持する。
【００８７】
変形例としての支持クリップの構成が図４及び図７で理解でき、図４及び図７は、電気フェンスワイヤをルーズに支持するためのピグテール中に形成されたアウトリガーアームの端部を示している。アウトリガーが導電性材料、例えば金属ロッド又は電線で作られている場合、ピグテールは、好ましくは、例えば絶縁スリーブ又は被膜によって電気的に絶縁される。
【００８８】
図１１、図１２及び図１３は、本発明の第５のダブルエンド形アウトリガーの３つの斜視図である。ダブルエンド形アウトリガーは、電気導体又は電線５１７Ａ，５１７Ｂを支持した２本のアーム５１１，５１２を有している。電線は、支柱５１５で支持された支持ワイヤ５１５のそれぞれ互いに反対側の側部から外方に片寄って距離をおいたところに保持される。一用途では、支持ワイヤは、支柱・ワイヤ・バテン形フェンスの１本のワイヤである。
【００８９】
２本のアーム５１１，５１２は、中央に設けられた開放ピボットループ５２２のところでこれらの近位端部から互いに逆方向に外方に延びている。２本のアームの遠位端部５１３Ａ，５１３Ｂは、それぞれの端部に巻き付けられた２つの電気導体に把持関係をなして係合するためにアームの主要部分に対しほぼ直角に曲げられている。遠位端部は、互いにほぼ平行であり、これら遠位端部は、図１１、図１２及び図１３に示されているように互いに同一方向に延びても良く又は互いに逆方向に延びても良い（図示せず）。各端部の遠位先端部５１４Ａ，５１４Ｂが電線５１７Ａ，５１７Ｂを端部５１３Ａ，５１３Ｂに巻き付けられた状態に保持するのを助けるよう僅かに内方に曲げられるのが良い。中央ループ５２２、２本のアウトリガーアーム５１１，５１２、アームの２つの遠位端部５１３Ａ，５１３Ｂ及び先端部５１４Ａ，５１４Ｂは、全て、１本のワイヤで提供されるのが良い。
【００９０】
アウトリガーは、中央ハンガ５２０を有している。ハンガの上端部は、二股になっており、１対の互いに逆に向いた逆Ｊ字形フック５１５Ａ，５１５Ｂを備えている。これらフックは、ハンガの取り付け中、支持フェンスの支持ワイヤ５１６を２つのフック相互間に配置することができるよう互いに間隔を置いて設けられている。支持ワイヤへのハンガの取り付けの際、ハンガ５２０を支持ワイヤ５１６が２つのフック５１５Ａ，５１５Ｂ相互間を通過した状態で位置決めする。次に、ハンガを約９０°回転させて２つのフックの各々を同時に支持ワイヤに引っ掛ける。この位置では、ハンガは、２つのフック中に通された支持ワイヤによって提供される上側ハンガ軸線回りに自由に回動することができる。
【００９１】
ハンガ５２０の下端部は、二股になっており、１対の互いに間隔を置いた壁を有し、ピボットアクスルが２つの壁相互間に延びている。中央に設けられたピボットループ５２２は、ハンガアクスルをループ中にスナップ嵌めすることができるようにする下方に開いたＣ字形のものである。ハンガの下端部は、アウトリガー及び中央に設けられたループ５２２内に嵌め込まれたアクスルに掛けられる。ハンガは、アウトリガーアーム５１１，５１２に対し、Ｃ字形ループ５２２内に嵌め込まれたアクスルにより提供される下側ハンガピボット軸線回りに自由に回転することができる。
【００９２】
ハンガ５２０を支持フェンスの全体として水平なワイヤ５１６に引っ掛ける。
【００９３】
各フック５１５Ａ，５１５Ｂは、支持ワイヤと嵌合するための貫通穴を備えている。好ましい実施形態では、貫通穴は、ハンガが支持ワイヤによって提供されている軸線回りに自由に回転することができるよう支持ワイヤと隙間嵌め関係をなす直径を備えている。各貫通穴は、スロットのところで開口している。スロットは、支持ワイヤの直径よりも僅かに小さい幅を有し、その結果、フックは、ハンガをワイヤに補足的に保持するのを助けるよう支持ワイヤにスナップ装着されるようになっている。この場合、ハンガは、ワイヤをスロットから貫通穴中に押し込んだとき、スロットを、ワイヤを収容するのに十分開放することができるほど十分弾性に作られている。
【００９４】
変形例として、アウトリガーは、支持フェンスの支柱又は支柱に代えてバテンに打ち込まれ又は違ったやり方で固定された釘又は他の類似の締結具によって支持されても良い。この構成例では、フックによって提供される貫通穴は、釘又は締結具と隙間嵌め関係をなす直径を有し、その結果、ハンガは、釘又は締結具により提供される上側ハンガ軸線回りに自由に回転することができるようになっている。
【００９５】
アウトリガーアーム５１１，５１２の遠位端部５１３Ａ，５１３Ｂの各々及びそれぞれの細長い電線５１７Ａ，５１７Ｂは、互いに巻き付けられ又は撚り合わされてそれぞれの電線５１７Ａ，５１７Ｂに沿うアームの撚り合わせ遠位端部５１３Ａ，５１３Ｂの摺動運動に抵抗する掴み係合関係を提供している。
【００９６】
支持ワイヤ５１６とアウトリガーアームの遠位端部５１３Ａ，５１３Ｂに支持された電線５１７Ａ，５１７Ｂとの電気的隔離は、遠位端部５１３Ａ，５１３Ｂの各々を電気絶縁スリーブ又は被膜（図示せず）で覆うことにより行われるのが良い。
【００９７】
変形例として、好ましくは、電気的隔離は、ハンガ５２０の本体を電気絶縁材料、例えばプラスチック材料で作ることによって行われる。好ましい一実施形態では、ハンガは、上述したように形作られ、低密度ポリエチレンから一体品として成形される。
【００９８】
図１１は、アームが全体として水平であり、支柱５１５で支持された支持ワイヤ５１６のそれぞれの互いに反対側の側部から外方に片寄った電流が流されるワイヤ５１７Ａ，５１７Ｂを支持した休止位置でダブルエンド形アウトリガーを示している。
【００９９】
図１２は、図１１のダブルエンド形アウトリガーを衝突位置で示している。電流が流される電線５１７Ａ，５１７Ｂ又はアームの外側又は遠位端部５１３Ａ，５１３Ｂが支持ワイヤ５１６に向かう内方への方向に衝撃を受けると、ハンガ５２０は、２つのフック５１５Ａ，５１５Ｂの孔を通っている支持フェンスワイヤ５１６によって提供されている軸線回りに回転する。ハンガは又、中央のＣ字形ループ５２２内に嵌め込まれたアクスルによって提供される軸線回りにアウトリガーアーム５１１，５１２に対して回転する。ハンガの回転により、アウトリガーアームの衝撃を受けた端部５１３Ａ，５１３Ｂ及び対応の電線５１７Ａ，５１７Ｂは、内方に動き、支持ワイヤ５１６の近くに位置することができる。図１２は、電流が流されている電線５１７Ａ又はアーム５１１の外側端部５１３Ａが支持ワイヤ５１６に向かう内方への方向に衝撃を受けたときに採用される衝突位置でアウトリガーを示している。
【０１００】
図１３は、図１１のダブルエンド形アウトリガーを別の衝撃を受けた位置で示している。この場合、例えば電気フェンスワイヤのうちの１本又はアームの外側端部がもし衝撃を受けると、アウトリガーアーム５１１，５１２も又傾動により回転して一方の電気フェンスワイヤ５１７Ａを上昇させると共に他方５１７Ｂを下降させる。図１３は、電流が流れているワイヤ５１７Ａ又はアーム５１１の外側端部５１３Ａが支持ワイヤ５１６に向かう内方への方向に衝撃を受けた場合且つ上方の方向に衝撃を受けた場合のアウトリガーを示している。
【０１０１】
上述のアウトリガーアームは、好ましくは、金属で作られ、適切には、亜鉛めっき高張力鋼線で作られるが、プラスチック又は他の電気絶縁材料で作られても良い。アームが導電性材料で作られる場合、支持クリップかハンガかのいずれかは、電気絶縁材料で作られるのが良く、或いは、アームの遠位端部又は近位端部は、アウトリガーアームによって支持された電流が流れている電線を支持フェンス又はワイヤから隔離するよう絶縁される。
【０１０２】
幾つかの用途では、代表的には、ダブルエンド形アウトリガーが起伏した地面上に設置されているフェンスで支持される場合、アウトリガーは、電気導体によりアウトリガーの端部に及ぼされる比較的大きい上向き又は下向きの力により、特に、電気導体が引っ張られた場合、過度に撓む場合がある。この場合、アウトリガーは、２つの電気導体相互間に跨るようアウトリガーに平行に取り付けられる補助強化部材によって強化され又は補強される必要がある場合がある。
【０１０３】
注目されることとして、アウトリガーが起伏した地面上に設置されているフェンスに取り付けて用いられる場合、特に、フェンスラインが地面輪郭の窪みの上を通る場合、アウトリガーによって支持されている電気フェンスワイヤは、特に張力が加えられると持ち上がる傾向を示す場合があり、地面の輪郭をより厳密に辿るようアウトリガーによって下方に保持される必要のある場合がある。アウトリガーは、図示の向きから逆さまにされて電気フェンスワイヤを下に引っ張るために用いられるのが良い。例えば、図１１、図１２及び図１３に示されているアウトリガーアーム５１１，５１２は、中央ハンガ５２０を支持しているワイヤ５１６の上方に位置するのが良く、中央ハンガ５２０は、ピボットループ５２２を下に位置するフェンスワイヤ５１６に連結する。
【０１０４】
適当な補助部材は、ワイヤから端部を備えた１対の整列したアームの状態に作られたものであるのが良く、端部の先端部は、実質的に、図１１、図１２及び図１３に示されているダブルエンド形アウトリガーと実質的に同一である。強化部材は、そのアームがアウトリガーのアームの上方に位置した状態で設けられる。強化部材の端部とアウトリガーの端部は、互いに逆方向に差し向けられる。電気導体は、強化部材のアームの端部に巻き付けられると共にアウトリガーのアームの端部に巻き付けられる。強化部材のアーム相互間の中央ゾーンは、アウトリガーのハンガに掛かると共にこれに対して隙間をもたらすよう側方に片寄っている。
【０１０５】
電気フェンス導体は、代表的には、シングルワイヤストランド、例えば亜鉛めっき鋼線であり、若しくは、マルチストランド形電線又はロープ、テープ若しくは編組体の状態に非導電性支持ストランドと撚り合わされ、編組され若しくは織成された１本又は２本以上のワイヤストランドである。ワイヤストランドは、有利には、ステンレス鋼又は錫めっき銅で作られ、有利には、織成又は編組ポリエチレン材料によって支持される。
【０１０６】
上述のアウトリガーを伝統的な支柱・バテン・ワイヤ形ファームフェンスに追加して電流の流れている電線又は他の導体をフェンスの一方の側又は両方の側から外方に片寄った状態で支持するのが良い。電流の流れている導体は、家畜が支持フェンスに接触するのを抑止する。アウトリガー及び電流の流れている導体は、家畜又は農場用車両の衝撃を受けたときに後方に動くことができる。これにより、かかる衝撃がアウトリガーを不格好にし又は違った仕方でアウトリガー又は電流の流れている導体を損傷させ若しくは支持フェンスそれ自体に損傷を及ぼす恐れが減少し、これらのうちの幾つかにより、電流の流れているフェンスを接地し又はそのアースを取る場合があり、それによりその有効性に悪影響が生じることがある。
【０１０７】
別の用途では、アウトリガーは、給餌ゾーンにおける１匹又は２匹以上の動物を管理するために用いられる。本発明の少なくとも１つのアウトリガーは、全体として水平なワイヤ又は適当な支持体から吊り下げられる。電流の通っている導体、例えば電気フェンスワイヤ又はテープが給餌ゾーン上に延びるようアウトリガーの外端部から吊り下げられる。電流の通っている導体は、給餌姿勢において頭を下にしている動物が給餌ゾーンに置かれている飼料を食べることができるようにするが、給餌ゾーンに位置する動物がその頭を実質的に給餌姿勢の上方に持ち上げ又は給餌ゾーン上に歩き出すのを抑止する給餌ゾーンの上方の高さ位置に保持される。
【０１０８】
アウトリガーは、電流の流れている電線を動物が飼料の上に歩いた場合に電線が動物に接触する高さに吊り下げる。電流の流れている電線にとって適当な高さは、動物の背骨ライン又はき甲のすぐ下である。この高さ位置では、電流の流れている電線により、給餌ゾーンで食べている給餌中の動物は、完全に制約されない給餌運動を取ることができる。しかしながら、動物が給餌ゾーン上に又はこれに沿って歩こうとした場合、動物は、吊り下げられた状態の電流の流れている電線に触れ、それにより動物はショックを受けて逃げ去る。
【０１０９】
幾つかの従来公知のフィードロット管理装置が低い高さ位置で電流の通っている電線を用いている。これら装置では、給餌中に動物がショックを受ける恐れが高くなるので、その結果、動物が恐る恐る餌を取るようになる。本発明のアウトリガーにより動物の背骨ラインのすぐ下の高さ位置に吊り下げられた電流の通っている電線を用いることにより動物が恐る恐る餌を取るという恐れを減少させることができる。
【０１１０】
これは、動物を給餌ゾーンの周囲の実質的に外側に居させるのを助けると共に動物が餌を踏みつけたり、排便したり排尿したりすることによって飼料がダメになることを減少させる。アウトリガー又は電線は、動物による衝撃を受けた場合でも、変形が全くなく又はほんの一時的な状態で、しかも損傷することなくその休止位置から遠ざかることができ、そして次に、動物が電気ショックによって後ずさりした後、その休止位置に戻ることができる。
【０１１１】
動物給餌管理システムにより、飼料パッド又は他のゾーンは、従来飼料の消費に先立って飼料がダメになるのを阻止しようとするために用いられているバケツ又は飼い葉桶等によって実質的に塞がれることがないようにすることができる。次に、邪魔になるものがない飼料パッドを必要なときに容易に空けてクリーニングすることができる。電流の流れている導体を２本又は３本以上の直立支持支柱相互間で張力が加えられた１本又は２本以上の全体として水平なワイヤで支持された数個のアウトリガーから吊り下げるのが良い。支柱以外の給餌管理システムの全ての部分は、パッドの上方に保持され、それにより飼料パッドのクリーニングが比較的容易になる。
【０１１２】
図１４及び図１５は、電気切り換え装置を含むハンガを備えたアウトリガーの細部を部分的に概略的に示している。各アウトリガーは、中央に設けられた開放ピボットループ６２２から互いに逆方向に外方へ延びる２本の導電性アーム６１１，６１２を有している。２本のアーム及び中央ピボットループは、好都合には、たった１本のワイヤ、好ましくは亜鉛めっき鋼線で作られる。２本のアームの外側端部は、上述されると共に図１１、図１２及び図１３に示されている構成とほぼ同じ仕方で電気フェンスワイヤ（図１４及び図１５には示されていない）を支持する。各アウトリガーは、上述されると共に図１１、図１２及び図１３に示されているハンガ５２０とほぼ同じであり且つこれと同様に動作する電気絶縁性ハンガ本体６２０を含むハンガを有する。
【０１１３】
図１４及び図１５では、アウトリガーは、ハンガ本体の上端部に設けられた貫通穴内に配置されるのに備えた位置で示されている釘６３５によって支持される。釘は、支持フェンス支柱（図示せず）の側部に打ち込まれる。貫通穴は、ハンガ本体６２０が釘により提供される軸線回りに自由に回転することができるよう釘と隙間嵌め関係をなす直径を有する。
【０１１４】
変形例として、アウトリガーは、釘に代えて、水平フェンスワイヤで支持されても良い。
【０１１５】
ハンガ本体６２０は、支持釘６３５とアウトリガーアームとアウトリガーの遠位端部のところで支持された電線との間の電気的隔離を提供するよう電気絶縁材料で作られ、例えば、ポリエチレン又は他のプラスチック材料から成形される。
【０１１６】
図１４に示されているアウトリガーでは、電気切り換え装置は、上端部に開放アイを備えた導電性振子６３０及び開放アイを備えた導電性ラグ６４０によって提供される。支持釘６３５は、振子及びラグのアイを貫通して設けられる。絶縁カラー６３７が振子及びラグを支持釘から絶縁する。振子及びハンガ本体は各々、釘により提供されるピボット軸線回りに自由に揺動することができる。
【０１１７】
振子６３０は、その遠位端部にテール６３１を有している。テールは、支持釘により提供される軸線にほぼ平行に位置している。振子は、ラグと電気的接触関係をなしている。ラグは、図１４に概略的に示されているように中間タイワイヤ６４２によって通電状態のライン６４４に接続されるのが良い。
【０１１８】
振子６３０及びハンガ本体６２０が各々、垂直の向きで自由にぶら下がっている場合、振子のテール６３１は、中央のＣ字形ループ６２２の開口部のすぐ下で２本のアウトリガーアーム６１１，６１２の近位端部相互間に位置するが、これらとは接触していない。アウトリガーは、この自由ぶら下がり形態にあるとき、通電状態にあるライン６４４とアウトリガーアームとアウトリガーアームの外側端部のところで支持されたワイヤとの間の電気的接続をもたらさない。
【０１１９】
アウトリガーアーム又はアウトリガーアームにより支持されたワイヤのいずれか一方の例えば動物による衝撃により、アウトリガーアーム６１１，６１２が回転し又は変位してハンガ本体６２０の下端部及び振子テール６３１の相対変位が生じる。この相対変位が小さなしきい値を超える場合、振子テールは、アウトリガーのうちの一方又は他方の近位端部に電気的に接触する。この電気的接触により、通電状態のライン６４４から中間タイワイヤ６４２、ラグ６４０及び振子６３０を通ってアウトリガーアーム６１１，６１２及びアウトリガーアームの外側端部に支持されたワイヤに至るまでの導電路が構成される。したがって、この衝撃を受けた形態では、アウトリガーアーム及びアウトリガーアームによって支持されたワイヤは、通電状態になる。
【０１２０】
アウトリガー及びアウトリガーによって支持されたワイヤは、衝撃が止まると、自由ぶら下がり形態に戻り、それによりアウトリガー切り換え装置中の電気的接続が切れる。
【０１２１】
図１５に示されているアウトリガーでは、電気切り換え装置は、上端部に開放アイを備えた導電性振子６３２及び開放アイを備えた導電性ラグ６４０によって提供される。支持釘６３５は、振子及びラグのアイを貫通して設けられる。絶縁カラー６３７が振子及びラグを支持釘から絶縁する。振子及びハンガ本体は各々、釘により提供されるピボット軸線回りに自由に揺動することができる。振子６３２は、その遠位端部に２つの（ツイン形）テール６３３Ａ，６３３Ｂを有し、これらテールは、自由に回動可能な継手６３４によって振子の本体の下端部に取り付けられている。回動可能な継手６３４は、支持釘６３５によって提供された軸線にほぼ平行な軸線を有している。テールは、支持釘によって提供された軸線にほぼ平行に位置している。振子は、ラグと電気的接触状態にある。ラグは、図１５に概略的に示されているように中間タイワイヤ６４２によって通電状態のライン６４４に接続されるのが良い。
【０１２２】
振子６３２及びハンガ本体６２０が各々垂直の向きで自由にぶら下がっているとき、テール６３３Ａ，６３３Ｂは、中央のＣ字形ループ６２２の互いに反対側で２本のアウトリガーアーム６１１，６１２の近位端部に隣接して位置するがこれらとは接触していない。アウトリガーは、この自由ぶら下がり形態にあるとき、通電状態にあるライン６４４とアウトリガーアームとアウトリガーアームの外側端部のところで支持されたワイヤとの間の電気的接続をもたらさない。
【０１２３】
アウトリガーアーム又はアウトリガーアームにより支持されたワイヤのいずれか一方の例えば動物による衝撃により、アウトリガーアーム６１１，６１２が回転し又は変位してハンガ本体６２０の下端部及び振子テール６３３Ａ，６３３Ｂの相対変位が生じる。この相対変位が小さなしきい値を超える場合、振子テールのうちの一方は、アウトリガーのうちの一方又は他方の近位端部に電気的に接触する。この電気的接触により、通電状態のライン６４４から中間タイワイヤ６４２、ラグ６４０及び振子６３０を通ってアウトリガーアーム６１１，６１２及びアウトリガーアームの外側端部に支持されたワイヤに至るまでの導電路が構成される。したがって、この衝撃を受けた形態では、アウトリガーアーム及びアウトリガーアームによって支持されたワイヤは、通電状態になる。
【０１２４】
ピボット継手６３４により、振子テール６３３Ａ，６３３Ｂは、振子６３２の本体に対して揺動することができ、それによりハンガ本体６２０に対するアウトリガーアーム６１１，６１２の回転は、振子テールによって阻止されるようになっている。
【０１２５】
アウトリガー及びアウトリガーによって支持されたワイヤは、衝撃が止まると、自由ぶら下がり形態に戻り、それによりアウトリガー切り換え装置中の電気的接続が切れる。
【０１２６】
図１４及び図１５を参照して上述したアウトリガーは、自由ぶら下がり形態にあるとき、通電状態のライン６４４とアウトリガーアームとアウトリガーアームの外側端部のところで支持されたワイヤとの間の電気的接触をもたらさないと説明した。しかしながら、代表的な一具体的構成例では、ワイヤがかかる切り換え式アウトリガーの連続体によって支持される場合、ワイヤとかかる連続体の全てのアウトリガーアームの両方は、任意の１つの切り換え式アウトリガーがそのアウトリガーの切り換え装置を作動させるほど十分回転し又は変位すると、通電され、それにより変位状態のアウトリガーの切り換え装置を介するワイヤと連続体の他の全てのアウトリガーの両方までの通電状態のライン６４４の電気的接続を可能にする。
【０１２７】
切り換え装置を備えたアウトリガーにより、動物は、ワイヤ又はアウトリガーアームと僅かに接触し、ワイヤ及びアームを通電する前に引き下がることができる。これは、アウトリガーが給餌ゾーンのところで動物を管理するために用いられる場合に有用なことがある。上述した切り換えが行われない場合、動物は、アウトリガーアーム及びアウトリガーアームによって支持された電線にほんの僅か触れた場合であっても衝撃を受ける場合がある。これにより、動物は恐る恐る食べるようになる場合がある。というのは、動物は、電気的衝撃を受ける前に警告を殆ど受けず又は全く受けないからである。これとは対照的に、切り換え式アウトリガーにより、動物は、動物がアウトリガー及びアウトリガーによって支持された電線に僅かに触れる可能性のある場所まで、電気的衝撃を受けないで餌を取るのに慣れるようになることが可能である。
【０１２８】
しかしながら、動物が管理給餌ゾーン内にかなり入り込もうとすると、それによりアウトリガー切り換え装置は、アウトリガー及び電線を通電状態のラインに接続し、それにより動物に電気的衝撃を及ぼし、それにより追っ払う。
【０１２９】
上述の説明は、好ましい実施形態について本発明を説明している。当業者には明らかな変形例及び改造例は、特許請求の範囲に記載された本発明の範囲に含まれるものである。例えば、上述の好ましい実施形態が支柱及びオプションとしてバテンによって支持された互いに平行なワイヤを有する農場フェンス用のアウトリガーであるが、アウトリガーは、他のフェンス、例えばワイヤメッシュフェンスや壁に同様に利用できる。
【図１】
0005628788.tif 000002
【図２】
0005628788.tif 000003
【図３】
0005628788.tif 000004
【図４】
0005628788.tif 000005
【図５】
0005628788.tif 000006
【図６】
0005628788.tif 000007
【図７】
0005628788.tif 000008
【図８】
0005628788.tif 000009
【図９】
0005628788.tif 000010
【図１０】
0005628788.tif 000011
【図１１】
0005628788.tif 000012
【図１２】
0005628788.tif 000013
【図１３】
0005628788.tif 000014
【図１４】
0005628788.tif 000015
【図１５】
0005628788.tif 000016